(57)【要約】【課題】視認性の向上又は消費エネルギーの低減に優れた表示装置を提供すること。【解決手段】表示装置は、複数の光源により構成されたバックライトの明るさを１以上の光源に対応した所定エリア単位で制御可能であり、表示エリア上の選択エリアに対応した第１の光源エリアを構成する１以上の光源を第１の明るさに制御し、前記表示エリア上の非選択エリアに対応した第２の光源エリアを構成する１以上の光源を第２の明るさに制御する明るさ制御手段と、前記明るさ制御手段による前記第１の明るさ制御に対応して前記選択エリアを表示し、前記第２の明るさ制御に対応して前記選択エリアを表示する表示手段と、を備えている。【選択図】図１
2011013361.tif 000002
【特許請求の範囲】
【請求項１】
複数の光源により構成されたバックライトの明るさを１以上の光源に対応した所定エリア単位で制御可能であり、表示エリア上の選択エリアに対応した第１の光源エリアを構成する１以上の光源を第１の明るさに制御し、前記表示エリア上の非選択エリアに対応した第２の光源エリアを構成する１以上の光源を第２の明るさに制御する明るさ制御手段と、
前記明るさ制御手段による前記第１の明るさ制御に対応して前記選択エリアを表示し、前記第２の明るさ制御に対応して前記選択エリアを表示する表示手段と、
を備えたことを特徴とする表示装置。
【請求項２】
前記表示手段は、前記表示エリアに映像を表示するための液晶パネルにより構成され、
前記液晶パネルは、前記光源からの光を変調する、
ことを特徴とする請求項１に記載の表示装置。
【請求項３】
前記表示手段は、前記表示エリアを複数画面に分割して各画面で映像を表示することが可能であり、
前記明るさ制御手段は、前記複数画面の中の操作権を持つ選択画面に対応した前記第１の光源エリアを構成する１以上の光源を前記第１の明るさに制御し、前記複数画面の中の操作権を持たない非選択画面に対応した前記第２の光源エリアを構成する１以上の光源を前記第１の明るさより暗い前記第２の明るさに制御する、
ことを特徴とする請求項２に記載の表示装置。
【請求項４】
前記明るさ制御手段は、前記第１の明るさに制御された前記選択画面が前記非選択画面へ遷移したことに対応してこの遷移した非選択画面に対応した前記第１の光源エリアを構成する１以上の光源を第２の明るさに制御し、前記第２の明るさに制御された前記非選択画面が前記選択画面へ遷移したことに対応してこの遷移した選択画面に対応した前記第２の光源エリアを構成する１以上の光源を第１の明るさに制御することを特徴とする請求項３に記載の表示装置。
【請求項５】
前記表示手段は、前記表示エリア中に複数項目を表示することが可能であり、
前記明るさ制御手段は、前記複数項目の中の選択項目に対応した前記第１の光源エリアを構成する１以上の光源を前記第１の明るさに制御し、前記複数画面の中の非選択項目に対応した前記第２の光源エリアを構成する１以上の光源を前記第１の明るさより暗い前記第２の明るさに制御する、
ことを特徴とする請求項２に記載の表示装置。
【請求項６】
前記明るさ制御手段は、前記第１の光源エリアを構成する１以上の光源を第１の明るさに制御し、前記第２の光源エリアを構成する１以上の光源を第２の明るさに制御して所定時間経過後に、前記第１の光源エリアを構成する１以上の光源及び前記第２の光源エリアを構成する１以上の光源を同じ明るさに制御することを特徴とする請求項１に記載の表示装置。
【請求項７】
前記制御手段は、
前記表示エリアに表示されたメニュー画面に含まれた第１のモードの選択に基づき、前記表示エリア中の前記選択エリアに対応した前記第１の光源エリアを構成する１以上の光源を前記第１の明るさに制御し、前記非選択エリアに対応した前記第２の光源エリアを構成する１以上の光源を前記第２の明るさに制御し、
前記表示エリアに表示されたメニュー画面に含まれた第２のモードの選択に基づき、前記表示エリア中の前記選択エリアに対応した前記第１の光源エリアを構成する１以上の光源を前記第１の明るさに制御し、前記非選択エリアに対応した前記第２の光源エリアを構成する１以上の光源を前記第２の明るさに制御して所定時間経過後に、前記選択エリアに対応した前記第１の光源エリアを構成する１以上の光源及び前記非選択エリアに対応した前記第２の光源エリアを構成する１以上の光源を同じ明るさに制御する、
ことを特徴とする請求項１に記載の表示装置。
【請求項８】
表示エリア上の選択エリアに対応した第１の光源エリアを構成する１以上の光源を第１の明るさに制御し、前記表示エリア上の非選択エリアに対応した第２の光源エリアを構成する１以上の光源を第２の明るさに制御し、
前記第１の光源エリアの第１の明るさ制御に対応して前記選択エリアを表示し、前記第２の光源エリアの第２の明るさ制御に対応して前記選択エリアを表示する、
ことを特徴とする表示方法。
【発明の詳細な説明】
【技術分野】
【０００１】
本発明は、視認性向上又は消費エネルギーの低減のための表示の明るさ制御技術に関する。
【背景技術】
【０００２】
現在、テレビ、パーソナルコンピュータ、及び携帯電話機などの画像表示手段として液晶表示装置が用いられている。液晶表示装置は、液晶パネルと液晶パネルの背面側に配置されたバックライトとにより構成される。液晶パネルは発光しないため、バックライトが液晶パネルを照明して画像を表示する。
【０００３】
近年、液晶表示装置に対する要望は高く、様々な技術が提案されている。例えば、入力映像信号の特徴量に対してバックライト光源の輝度を制御する技術が知られている。さらに進んで、多画面表示の際には入力映像信号の特徴量に対してバックライト光源の輝度制御を停止することが可能な液晶表示装置が開示されている（特許文献１参照）。
【先行技術文献】
【特許文献】
【０００４】
【特許文献１】特開２００７−２４１２５０号公報
【発明の概要】
【発明が解決しようとする課題】
【０００５】
しかしながら、液晶表示装置に対する要望は上記に留まらず、さらに、視認性又は消費エネルギーの低減に優れた表示装置が要望されている。例えば、多画面表示の際に、どの画面に操作権があるのか分かり難く（どの画面が選択中の画面なのか分かり難く）、このような視認性の悪さの改善が要望されている。あわせて、消費エネルギーを低減したいという要望も出されている。上記特許文献１には、このような要望を満たす技術は開示されていない。
【０００６】
本発明の目的は、視認性の向上又は消費エネルギーの低減に優れた表示装置及び表示方法を提供することにある。
【課題を解決するための手段】
【０００７】
本発明の一実施形態に係る表示装置は、複数の光源により構成されたバックライトの明るさを１以上の光源に対応した所定エリア単位で制御可能であり、表示エリア上の選択エリアに対応した第１の光源エリアを構成する１以上の光源を第１の明るさに制御し、前記表示エリア上の非選択エリアに対応した第２の光源エリアを構成する１以上の光源を第２の明るさに制御する明るさ制御手段と、前記明るさ制御手段による前記第１の明るさ制御に対応して前記選択エリアを表示し、前記第２の明るさ制御に対応して前記選択エリアを表示する表示手段と、を備えたことを特徴とする表示装置。
【０００８】
本発明の一実施形態に係る表示方法は、表示エリア上の選択エリアに対応した第１の光源エリアを構成する１以上の光源を第１の明るさに制御し、前記表示エリア上の非選択エリアに対応した第２の光源エリアを構成する１以上の光源を第２の明るさに制御し、
前記第１の光源エリアの第１の明るさ制御に対応して前記選択エリアを表示し、前記第２の光源エリアの第２の明るさ制御に対応して前記選択エリアを表示する。
【発明の効果】
【０００９】
本発明によれば、視認性の向上又は消費エネルギーの低減に優れた表示装置及び表示方法を提供できる。
【図面の簡単な説明】
【００１０】
【図１】本発明の実施形態に係る液晶表示装置の概略構成を示す図である。
【図２】図１に示す液晶表示装置を構成するバックライトパネルと液晶パネルの概略構成を示す図である。
【図３】図１に示す液晶表示装置を構成するバックライトパネルの光源領域の概略構成を示す図である。
【図４Ａ】２画面表示の一例を示す図である。
【図４Ｂ】２画面表示のうちの選択画面（操作権の有る画面）を第１の明るさに制御し、非選択画面（操作権の無い画面）を第１の明るさより暗い第２の明るさに制御した状態を示す図である。
【図４Ｃ】ブロック単位で明るさ制御が可能であることを示す図である。
【図５】メニュー画面の複数の項目の中で、カーソルがフォーカスしている選択項目を第１の明るさに制御し、この選択項目を除く他の項目を第１の明るさより暗い第２の明るさに制御した状態を示す図である。
【図６】メニュー画面の複数の項目の中で、カーソルがフォーカスしている選択項目を第１の明るさに制御し、この選択項目以外を第１の明るさより暗い第２の明るさに制御した状態を示す図である。
【図７】省エネルギー設定画面の一例を示す図である。
【図８】エリア制御設定画面の一例を示す図である。
【発明を実施するための形態】
【００１１】
以下、図面を参照し、本発明の実施形態について説明する。
【００１２】
図１は、本発明の実施形態に係る液晶表示装置の概略構成を示す図である。図１に示すように、液晶表示装置１００は、信号受信モジュール１１、制御モジュール１２、輝度算出モジュール１３、発光モジュール１４、光変調モジュール１５を備えている。
【００１３】
信号受信モジュール１１は、リモートコントローラ１０からの操作信号を受信し、受信した操作信号を制御モジュール１２へ伝える。制御モジュール１２は、例えば表示状態に応じて発光モジュール１４及び光変調モジュール１５を制御する。
【００１４】
発光モジュール１４は、ＬＥＤバックライトドライバ１４０Ｄ及びＬＥＤバックライトパネル１４０Ｐにより構成され、ＬＥＤバックライトパネル１４０Ｐは、複数の光源（ＬＥＤ）により構成されている。ＬＥＤバックライトドライバ１４０Ｄは、輝度算出モジュール１３からの各光源に対する輝度値（光源点灯値）に基づき、各光源の発光輝度を制御する。輝度算出モジュール１３は、入力画像信号から各光源の輝度値を算出し、算出した輝度値をＬＥＤバックライトドライバ１４０Ｄへ入力する。
【００１５】
光変調モジュール１５は、液晶ドライバ１５０Ｄ及び液晶パネル１５０Ｐにより構成され、液晶ドライバ１５０Ｄは、入力画像信号又は補正された入力画像信号に基づき、液晶パネル１５０Ｐにより、各光源からの光の変調を制御する。つまり、液晶ドライバ１５０Ｄは、液晶パネル１５０Ｐの透過率を制御する。これにより、液晶パネル１５０Ｐで入力画像信号に基づく画像が表示される。液晶表示装置１００は、液晶パネル１５０Ｐによる画像の表示タイミングと各光源の点灯タイミングとを同期させている。
【００１６】
ここで、図２及び図３を参照して、図１に示す液晶表示装置１００を構成するバックライトパネル１４０Ｐと液晶パネル１５０Ｐの詳細について説明する。図２は液晶表示装置１００のバックライトパネル１４０Ｐと液晶パネル１５０Ｐの構成を示す分解斜視図、図３はバックライトパネル１４０Ｐを構成する光源の構成を示す斜視図である。
【００１７】
バックライトパネル１４０Ｐは、発光部１４１と、発光部１４１の前面に配置されたプリズムシート１４３を挟む一対の拡散板１４２、１４４とを有する。発光部１４１は、パネル形状を有しており、複数の光源領域１４５がＭ行Ｎ列の縦横規則的に配置されたマトリクス構造を有している。なお、図２では、一例として５行８列の光源領域１４５を備えた発光部１４１を示している。
【００１８】
光源領域１４５は、図３に示すように、拡散板１４２等との重なり方向に延びる隔壁１４６によって四方を囲まれている。また、各光源領域１４５には、ＲＧＢ三原色の３個のＬＥＤ１６１，１６２，１６３からなる光源１４８が配置されている。光源１４８は、赤色ＬＥＤ１６１、緑色ＬＥＤ１６２、及び青色のＬＥＤ１６３によって構成され、赤緑青の３色を混ぜながら前面（液晶パネル１５０Ｐ）に向けて光を出射する。各光源領域１４５からの出射光によって液晶パネル１５０の背面側が照明され、出射光の液晶パネル１５０Ｐの透過を調整して映像が表示される。
【００１９】
そして、液晶表示装置１００は、各光源領域１４５に配置されている複数の光源１４８によってバックライト１４０が全面発光して、液晶パネル１５０に背面から光を照明する直下型方式になっている。液晶パネル１５０は一対の偏光板１５５、１５７と、その偏光板１５５、１５７の間に挟まれた液晶１５６とを有している。
【００２０】
再び図１に戻り、ＬＥＤバックライトパネル１４０Ｐによる、選択エリアと非選択エリアの明るさ制御について説明する。
【００２１】
例えば、図４Ａに示すように、液晶表示装置１００は、リモートコントローラ１０からの２画面表示の指示に基づき、映像を２画面に分けて表示することができる。例えば、チャンネル１に対応する映像を第１画面１０１に表示し、チャンネル２に対応する映像を第２画面１０２に表示することができる。なお、本実施形態では２画面表示の例について説明するが、本発明は２画面より多い多画面表示にも適用できる。多画面表示の例としては、４画面、８画面、及び１６画面などがある。
【００２２】
リモートコントローラ１０は、第１画面１０１及び第２画面１０２を同時に操作（制御）できるわけではなく、第１画面１０１及び第２画面１０２のうちの操作権の有る画面だけを操作することができる。なお、リモートコントローラ１０は、第１画面１０１から第２画面１０２、第２画面１０２から第１画面１０１へ操作権を移すことができる。また、制御モジュール１２が、第１画面１０１及び第２画面１０２のうちのどちらの画面に操作権があるかを管理する。
【００２３】
例えば、チャンネル１に対応する映像を表示している第１画面１０１が操作権を有し、チャンネル２に対応する映像を表示している第２画面１０２が操作権を有していないケースを想定する。つまり、制御モジュール１２が、第１画面１０１に操作権が有ることを管理しているケースを想定する。
【００２４】
このケースで、リモートコントローラ１０がチャンネル４への切り換えを指示すると、第１画面１０１はチャンネル４に対応する映像を表示し、第２画面１０２はチャンネル２に対応する映像を表示し続ける。操作直後（操作してから例えば５秒）、第１画面１０１は、ＯＳＤ（オンスクリーンディスプレイ）機能により、例えば「操作中」なる文字を表示し、第１画面１０１が操作権を有してことをユーザに通知する。
【００２５】
しかしながら、操作してから一定時間が経過すると、「操作中」なる文字は消えてもよい。この場合、ユーザは、第１画面１０１及び第２画面１０２のうちのどちらの画面に操作権があるのか簡単に知ることができない。
【００２６】
そこで、図４Ｂに示すように、本実施形態の液晶表示装置１００は、表示エリア中の選択エリア（操作権の有る画面）に対応した第１の光源エリアを構成する１以上の光源を第１の明るさに制御し、非選択エリア（操作権の無い画面）に対応した第２の光源エリアを構成する１以上の光源を第１の明るさより暗い第２の明るさに制御する。明るさは、制御モジュール１２、輝度算出モジュール１３、及びＬＥＤバックライトドライバ１４０Ｄにより制御される。なお、以下の説明では、選択エリアに対応した第１の光源エリアを構成する１以上の光源を第１の明るさに制御する旨を、選択エリアを第１の明るさに制御すると略記することがある。同様に、非選択エリアに対応した第２の光源エリアを構成する１以上の光源を第１の明るさより暗い第２の明るさに制御する旨を、選択エリアを第２の明るさに制御すると略記することがある。
【００２７】
制御モジュール１２は、例えば第１画面１０１に操作権が有ること、全表示エリアの中の第１画面１０１のエリア情報と、第２画面１０２のエリア情報とを輝度算出モジュール１３へ通知する。輝度算出モジュール１３は、操作権の有る第１画面１０１のエリアに対応した各光源用の輝度値（第１の明るさに対応した輝度値）と、操作権の無い第２画面１０２のエリアに対応した各光源用の輝度値（第２の明るさに対応した輝度値）とを算出し、これら輝度値をＬＥＤバックライトドライバ１４０Ｄへ通知する。ＬＥＤバックライトドライバ１４０Ｄは、輝度算出モジュール１３からの各光源に対する輝度値に基づき、各光源の発光輝度を制御する。
【００２８】
図４Ｃに示すように、液晶表示装置１００は、光源に対応したエリア（光源領域１４５）の単位で明るさを制御することができるため、上記した発光輝度制御に基づき、操作権の有る第１画面１０１に対応した第１の光源エリアを構成する１以上の光源を第１の明るさに制御し、操作権の無い第２画面１０２に対応した第２の光源エリアを構成する１以上の光源を第１の明るさより暗い第２の明るさに制御することができる。これによりユーザは、第１画面１０１に操作権があることを容易に知ることができる。また操作権の無い第２画面１０２が暗く表示されることから、消費エネルギーの低減を図ることもできる。
【００２９】
また、液晶表示装置１００は、操作権の遷移に応じて、明るさ制御を切り換えることができる。例えば、上記したように、第１画面１０１が操作権を有し、第２画面１０２が操作権を有していないケースでは、第１画面１０１が第１の明るさに制御され、第２画面１０２が第１の明るさより暗い第２の明るさに制御される。ここで、リモートコントローラ１０からの操作信号に基づき、操作権が第１画面１０１から第２画面１０２へ移行すると、つまり、第２画面１０２が操作権を有し、第１画面１０１が操作権を有していない状態となると、液晶表示装置１００は、このような操作権の遷移に応じて、第２画面１０２を第１の明るさに制御し、第１画面１０１を第１の明るさより暗い第２の明るさに制御する。なお、制御モジュール１２が、操作権の遷移等を管理している。
【００３０】
また、図５に示すように、液晶表示装置１００は、例えば、メニュー画面１０３の複数の項目の中で、カーソルがフォーカスしている選択項目１０３ａ（選択エリア）を第１の明るさに制御し、この選択項目を除く他の項目１０３ｂ、１０３ｃを第１の明るさより暗い第２の明るさに制御することもできる。
【００３１】
或いは、図６に示すように、液晶表示装置１００は、例えば、メニュー画面１０３の複数の項目の中で、カーソルがフォーカスしている選択項目１０３ａ（選択エリア）を第１の明るさに制御し、この選択項目以外のエリア１０３ｄを第１の明るさより暗い第２の明るさに制御することもできる。
【００３２】
また、液晶表示装置１００は、上記したように、選択エリアを第１の明るさに制御し、非選択エリアを第２の明るさに制御して所定時間経過後（例えば１分後）に、選択エリア及び非選択エリアを同じ明るさに制御することもできる。例えば、所定時間経過後（例えば１分後）に、選択エリア及び非選択エリアを第１の明るさに制御する。
【００３３】
次に、モード設定について説明する。図７は、省エネルギー設定画面１０４の一例を示す図である。図７に示すように、例えば、省エネルギー設定画面１０４は、第１消費電力設定１０４ａ、第２消費電力設定１０４ｂ、番組情報取得設定１０４ｃ、無操作自動電源オフ設定１０４ｄ、オンエアー無信号オフ設定１０４ｅ、及び外部入力無信号オフ設定１０４ｆの項目を備えている。
【００３４】
リモートコントローラ１０からの操作信号に基づき、省エネルギー設定画面１０４の第１消費電力設定１０４ａが選択されると、例えば、「標準明度」、「低明度Ａ」、「低明度Ｂ」の項目が表示される。「標準明度」の項目が選択されると、制御モジュール１２は選択された標準明度を記憶し、液晶表示装置１００は、制御モジュール１２の制御に基づき標準明度で映像を表示する。「低明度Ａ」の項目が選択されると、制御モジュール１２は選択された低明度Ａを記憶し、液晶表示装置１００は、制御モジュールの制御に基づき標準明度より暗い低明度Ａで映像を表示する。「低明度Ｂ」の項目が選択されると、制御モジュール１２は選択された低明度Ｂを記憶し、液晶表示装置１００は、制御モジュールの制御に基づき低明度Ａより暗い低明度Ｂで映像を表示する。
【００３５】
また、リモートコントローラ１０からの操作信号に基づき、省エネルギー設定画面１０４の第２消費電力設定１０４ｂが選択されると、液晶表示装置１００は、エリア制御設定画面１０５を表示する。図８に示すように、例えば、エリア制御設定画面１０５は、標準画面制御１０５ａ、第１省エネルギー画面制御１０５ｂ、第２省エネルギー画面制御１０５ｃの項目を含む。標準画面制御１０５ａの項目が選択されると、制御モジュール１２は選択された標準画面制御を記憶し、液晶表示装置１００は、上記したような選択エリアと非選択エリアとを異なる明るさで表示することなく、選択エリアと非選択エリアを同じ明るさで表示する。例えば、標準明度が設定されている場合には、選択エリアと非選択エリアは標準明度で表示される。また、低明度Ａが設定されている場合には、選択エリアと非選択エリアは低明度Ａで表示される。また、低明度Ｂが設定されている場合には、選択エリアと非選択エリアは低明度Ｂで表示される。
【００３６】
第１省エネルギー画面制御１０５ｂの項目が選択されると、制御モジュール１２は選択された第１省エネルギー画面制御１０５ｂを記憶し、液晶表示装置１００は、上記したように選択エリアを所定の明るさで表示し非選択エリアを当該所定の明るさより暗い明るさで表示する。例えば、標準明度が設定されている場合には、選択エリアは標準明度で表示され、非選択エリアは標準明度より暗い低明度Ａで表示される。また、低明度Ａが設定されている場合には、選択エリアは低明度Ａで表示され、非選択エリアは低明度Ａより暗い低明度Ｂで表示される。また、低明度Ｂが設定されている場合には、選択エリアは低明度Ｂで表示され、非選択エリアは低明度Ｂより暗い低明度Ｃで表示される。
【００３７】
第２省エネルギー画面制御１０５ｃの項目が選択されると、制御モジュール１２は選択された第２省エネルギー画面制御１０５ｃを記憶し、液晶表示装置１００は、上記したように選択エリアを所定の明るさで表示し非選択エリアを所定の明るさより暗い明るさで表示し、所定時間経過後（例えば１分後）に、選択エリア及び非選択エリアを同じ明るさに制御する。例えば、標準明度が設定されている場合には、選択エリアは標準明度で表示され、非選択エリアは標準明度より暗い低明度Ａで表示され、所定時間経過後に、選択エリア及び非選択エリアは標準明度で表示される。また、低明度Ａが設定されている場合には、選択エリアは低明度Ａで表示され、非選択エリアは低明度Ａより暗い低明度Ｂで表示され、所定時間経過後に、選択エリア及び非選択エリアは低明度Ａで表示される。また、低明度Ｂが設定されている場合には、選択エリアは低明度Ｂで表示され、非選択エリアは低明度Ｂより暗い低明度Ｃで表示され、所定時間経過後に、選択エリア及び非選択エリアは低明度Ｂで表示される。
【００３８】
また、リモートコントローラ１０からの操作信号に基づき、省エネルギー設定画面１０４の番組情報取得設定１０４ｃが選択されると、例えば、「取得する」、「取得しない」の項目が表示される。「取得する」の項目が選択されると、主電源がオフの待機状態のときに番組情報が取得され、「取得しない」の項目が選択されると、主電源がオフの待機状態のときに番組情報が取得されない。
【００３９】
また、リモートコントローラ１０からの操作信号に基づき、省エネルギー設定画面１０４の無操作自動電源オフ設定１０４ｄが選択されると、例えば、「待機にする」、「動作しない」の項目が表示される。「待機にする」の項目が選択されると、無操作状態が約３時間続くと電力供給が停止し待機状態に移行する。「動作しない」の項目が選択されると、無操作状態が続いても電力供給は停止しない。
【００４０】
また、リモートコントローラ１０からの操作信号に基づき、省エネルギー設定画面１０４のオンエアー無信号オフ設定１０４ｅが選択されると、例えば、「待機にする」、「動作しない」の項目が表示される。「待機にする」の項目が選択されると、放送受信時に無信号状態が約１５分間続くと電力供給が停止し待機状態に移行する。「動作しない」の項目が選択されると、無信号状態が続いても電力供給は停止しない。
【００４１】
また、リモートコントローラ１０からの操作信号に基づき、省エネルギー設定画面１０４の外部入力無信号オフ設定１０４ｆが選択されると、例えば、「待機にする」、「動作しない」の項目が表示される。「待機にする」の項目が選択されると、外部入力の選択時に無信号状態が約１５分間続くと電力供給が停止し待機状態に移行する。「動作しない」の項目が選択されると、無信号状態が続いても電力供給は停止しない。
【００４２】
なお、上記説明では、バックライトを構成する各光源による明るさ制御につて説明したが、バックライトを持たない表示装置においても本発明の明るさ制御を適用することができる。これにより、バックライトを持たない表示装置でも、視認性の向上と消費エネルギーの低減を図ることができる。
【００４３】
なお、上記したモジュールとは、ハードウェアで実現するものであっても良いし、ＣＰＵ等を使ってソフトウェアで実現するものであってもよい。
【００４４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４５】
１００…液晶表示装置、１１…信号受信モジュール、１２…制御モジュール、１３…輝度算出モジュール、１４…発光モジュール、１５…光変調モジュール、１４０Ｄ…ＬＥＤバックライトドライバ、１４０Ｐ…ＬＥＤバックライトパネル、１５０Ｄ…液晶ドライバ、１５０Ｐ…液晶パネル
【図１】
2011013361.tif 000003
【図２】
2011013361.tif 000004
【図３】
2011013361.tif 000005
【図４Ａ】
2011013361.tif 000006
【図４Ｂ】
2011013361.tif 000007
【図４Ｃ】
2011013361.tif 000008
【図５】
2011013361.tif 000009
【図６】
2011013361.tif 000010
【図７】
2011013361.tif 000011
【図８】
2011013361.tif 000012
【手続補正書】
【提出日】平成22年10月8日(2010.10.8)
【手続補正２】
【補正対象書類名】明細書
【補正対象項目名】０００６
【補正方法】変更
【補正の内容】
【０００６】
本発明の目的は、視認性の向上又は消費エネルギーの低減に優れた表示装置を提供することにある。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明によれば、視認性の向上又は消費エネルギーの低減に優れた表示装置を提供できる。
【手続補正５】
【補正対象書類名】明細書
【補正対象項目名】００４４
【補正方法】変更
【補正の内容】
【００４４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下に、本願出願の当初の特許請求の範囲に記載された発明を付記する。
［１］
複数の光源により構成されたバックライトの明るさを１以上の光源に対応した所定エリア単位で制御可能であり、表示エリア上の選択エリアに対応した第１の光源エリアを構成する１以上の光源を第１の明るさに制御し、前記表示エリア上の非選択エリアに対応した第２の光源エリアを構成する１以上の光源を第２の明るさに制御する明るさ制御手段と、
前記明るさ制御手段による前記第１の明るさ制御に対応して前記選択エリアを表示し、前記第２の明るさ制御に対応して前記選択エリアを表示する表示手段と、
を備えたことを特徴とする表示装置。
［２］
前記表示手段は、前記表示エリアに映像を表示するための液晶パネルにより構成され、
前記液晶パネルは、前記光源からの光を変調する、
ことを特徴とする［１］に記載の表示装置。
［３］
前記表示手段は、前記表示エリアを複数画面に分割して各画面で映像を表示することが可能であり、
前記明るさ制御手段は、前記複数画面の中の操作権を持つ選択画面に対応した前記第１の光源エリアを構成する１以上の光源を前記第１の明るさに制御し、前記複数画面の中の操作権を持たない非選択画面に対応した前記第２の光源エリアを構成する１以上の光源を前記第１の明るさより暗い前記第２の明るさに制御する、
ことを特徴とする［２］に記載の表示装置。
［４］
前記明るさ制御手段は、前記第１の明るさに制御された前記選択画面が前記非選択画面へ遷移したことに対応してこの遷移した非選択画面に対応した前記第１の光源エリアを構成する１以上の光源を第２の明るさに制御し、前記第２の明るさに制御された前記非選択画面が前記選択画面へ遷移したことに対応してこの遷移した選択画面に対応した前記第２の光源エリアを構成する１以上の光源を第１の明るさに制御することを特徴とする［３］に記載の表示装置。
［５］
前記表示手段は、前記表示エリア中に複数項目を表示することが可能であり、
前記明るさ制御手段は、前記複数項目の中の選択項目に対応した前記第１の光源エリアを構成する１以上の光源を前記第１の明るさに制御し、前記複数画面の中の非選択項目に対応した前記第２の光源エリアを構成する１以上の光源を前記第１の明るさより暗い前記第２の明るさに制御する、
ことを特徴とする［２］に記載の表示装置。
［６］
前記明るさ制御手段は、前記第１の光源エリアを構成する１以上の光源を第１の明るさに制御し、前記第２の光源エリアを構成する１以上の光源を第２の明るさに制御して所定時間経過後に、前記第１の光源エリアを構成する１以上の光源及び前記第２の光源エリアを構成する１以上の光源を同じ明るさに制御することを特徴とする［１］に記載の表示装置。
［７］
前記制御手段は、
前記表示エリアに表示されたメニュー画面に含まれた第１のモードの選択に基づき、前記表示エリア中の前記選択エリアに対応した前記第１の光源エリアを構成する１以上の光源を前記第１の明るさに制御し、前記非選択エリアに対応した前記第２の光源エリアを構成する１以上の光源を前記第２の明るさに制御し、
前記表示エリアに表示されたメニュー画面に含まれた第２のモードの選択に基づき、前記表示エリア中の前記選択エリアに対応した前記第１の光源エリアを構成する１以上の光源を前記第１の明るさに制御し、前記非選択エリアに対応した前記第２の光源エリアを構成する１以上の光源を前記第２の明るさに制御して所定時間経過後に、前記選択エリアに対応した前記第１の光源エリアを構成する１以上の光源及び前記非選択エリアに対応した前記第２の光源エリアを構成する１以上の光源を同じ明るさに制御する、
ことを特徴とする［１］に記載の表示装置。
［８］
表示エリア上の選択エリアに対応した第１の光源エリアを構成する１以上の光源を第１の明るさに制御し、前記表示エリア上の非選択エリアに対応した第２の光源エリアを構成する１以上の光源を第２の明るさに制御し、
前記第１の光源エリアの第１の明るさ制御に対応して前記選択エリアを表示し、前記第２の光源エリアの第２の明るさ制御に対応して前記選択エリアを表示する、
ことを特徴とする表示方法。
【手続補正６】
【補正対象書類名】特許請求の範囲
【補正対象項目名】全文
【補正方法】変更
【補正の内容】
【特許請求の範囲】
【請求項１】
複数の光源により構成されたバックライトの明るさを１以上の光源に対応した所定エリア単位で制御可能であり、表示エリア上の選択エリアに対応した第１の光源エリアを構成する１以上の光源を第１の明るさに制御し、前記表示エリア上の非選択エリアに対応した第２の光源エリアを構成する１以上の光源を第２の明るさに制御する明るさ制御手段と、
前記明るさ制御手段による前記第１の明るさ制御に対応して前記選択エリアを表示し、前記第２の明るさ制御に対応して前記非選択エリアを表示する表示手段と、
前記表示エリア上の複数画面の中の選択画面の操作権を非選択画面へ移す移動手段と、
を備え、
前記表示手段は、前記表示エリアに映像を表示するための液晶パネルにより構成され、
前記液晶パネルは、前記光源からの光を変調し、
前記表示手段は、前記表示エリアを前記複数画面に分割して、各画面で映像を表示することが可能であり、
前記明るさ制御手段は、前記複数画面の中の操作権を持つ前記選択画面に対応した前記第１の光源エリアを構成する１以上の光源を前記第１の明るさに制御し、前記複数画面の中の操作権を持たない前記非選択画面に対応した前記第２の光源エリアを構成する１以上の光源を前記第１の明るさより暗い前記第２の明るさに制御し、
前記明るさ制御手段は、前記移動手段による前記操作権の移動により、前記第１の明るさに制御された前記選択画面が前記非選択画面へ遷移したことに対応してこの遷移した非選択画面に対応した前記第１の光源エリアを構成する１以上の光源を第２の明るさに制御し、前記移動手段による前記操作権の移動により、前記第２の明るさに制御された前記非選択画面が前記選択画面へ遷移したことに対応してこの遷移した選択画面に対応した前記第２の光源エリアを構成する１以上の光源を第１の明るさに制御する、
ことを特徴とする表示装置。